(57)【要約】【課題】  本発明は、フォーマット変換装置に関し、例えばＨＤＴＶ、ＳＤＴＶ間のアップコンバータ、ダウンコンバータ、マルチフォーマットコンバータ等に適用して、フォーマット変換における各種の処理結果を簡易に確認することができるようにする。【解決手段】  本発明は、フォーマット変換における処理結果Ｓ２と処理対象Ｓ１とを選択してモニタ用のビデオ信号Ｓ４を別途出力する。【選択図】        図１
2006339930.tif 000002
【特許請求の範囲】
【請求項１】
入力ビデオ信号を入力する入力回路と、
前記入力ビデオ信号をフォーマット変換して出力ビデオ信号を出力する変換回路と、
前記出力ビデオ信号を出力する出力回路と、
前記入力ビデオ信号、前記出力ビデオ信号を選択してモニタ用のビデオ信号を出力するモニタ出力回路と
を備えることを特徴とするフォーマット変換装置。
【請求項２】
前記モニタ出力回路は、
所定の信号処理回路を介して前記入力ビデオ信号を入力し、
前記信号処理回路が、
前記入力ビデオ信号のアスペクト比を示す画像によるマーカー信号を生成するマーカー信号生成回路と、
前記マーカー信号と前記入力ビデオ信号とを合成して前記モニタ出力回路に出力する合成回路とである
ことを特徴とする請求項１に記載のフォーマット変換装置。
【請求項３】
前記モニタ出力回路は、
所定の信号処理回路を介して前記入力ビデオ信号を入力し、
前記信号処理回路が、
前記入力ビデオ信号に重畳された音声信号の信号レベルを検出して信号レベル検出結果を出力する信号レベル検出回路と、
前記信号レベル検出結果に基づいて、前記音声信号の信号レベルを示す画像による音声画像信号を作成する音声画像生成回路と、
前記音声画像信号と前記入力ビデオ信号を合成して前記モニタ出力回路に出力する合成回路とである
ことを特徴とする請求項１に記載のフォーマット変換装置。
【請求項４】
前記変換回路は、
前記入力ビデオ信号による画像の一部を削除するトリミング回路を介して前記入力ビデオ信号を入力し、
前記モニタ出力回路は、
所定の信号処理回路を介して前記入力ビデオ信号を入力し、
前記信号処理回路は、
前記トリミング回路により削除する領域を示すトリミング信号を生成するトリミング信号発生回路と、
前記トリミング信号と前記入力ビデオ信号を合成して前記モニタ出力回路に出力する合成回路とである
ことを特徴とする請求項１に記載のフォーマット変換装置。
【請求項５】
前記モニタ出力回路は、
所定の信号処理回路を介して前記入力ビデオ信号を入力し、
前記信号処理回路は、
前記入力ビデオ信号のタイムコードを検出するタイムコードデコーダと、
前記タイムコードを前記入力ビデオ信号に合成して前記モニタ出力回路に出力する合成回路とである
ことを特徴とする請求項１に記載のフォーマット変換装置。
【請求項６】
前記変換回路は、
ズームの処理により、前記入力ビデオ信号の所定領域を拡大して前記出力ビデオ信号を生成し、
前記モニタ出力回路は、
所定の信号処理回路を介して前記出力ビデオ信号を入力し、
前記信号処理回路は、
前記ズームの処理による前記所定領域を示すトリミング信号を生成するトリミング信号発生回路と、
前記ズームの処理を実行していない場合に、前記トリミング信号と前記出力ビデオ信号を合成して前記モニタ出力回路に出力する合成回路とである
ことを特徴とする請求項１に記載のフォーマット変換装置。
【発明の詳細な説明】
【技術分野】
【０００１】
本発明は、フォーマット変換装置に関し、例えばＨＤＴＶ（High Definition Television）、ＳＤＴＶ（Standard Definition Television）間のアップコンバータ、ダウンコンバータ、マルチフォーマットコンバータ等に適用することができる。本発明は、フォーマット変換における処理結果と処理対象とを選択してモニタ用のビデオ信号を別途出力することにより、本線には何ら影響を与えることなく、フォーマット変換における各種の処理結果を簡易に確認することができるようにする。
【背景技術】
【０００２】
従来、ＨＤＴＶ、ＳＤＴＶ間のフォーマット変換装置として、ＨＤＴＶアップコンバータ、ＨＤＴＶダウンコンバータ、マルチフォーマットコンバータ等が提供されており、このような装置に関して、例えば実開平５−９１０８４号公報等に、種々の工夫が提案されている。
【０００３】
このようなフォーマット変換装置では、併せてアスペクト比変換処理、ズーム処理、トリミング処理等を実行でき、フォーマット変換後の映像信号のモニタによりこれらの処理を確認するように構成されている。
【０００４】
しかしながらこのようなフォーマット変換後の映像信号にあっては、いわゆる本線系の信号であることにより、画額設定用のマーカー信号等を重畳すること等が困難であり、これによりこのようなマーカー信号を用いた各種の確認作業が困難な問題がある。具体的に、これによりこの種の映像信号の処理では、入力映像信号のアスペクト比が通常とは異なる場合等に、意図しないアスペクト比によりフォーマット変換したり、ズーム処理の確認が煩雑になっていた。
【特許文献１】実開平５−９１０８４号公報
【発明の開示】
【発明が解決しようとする課題】
【０００５】
本発明は以上の点を考慮してなされたもので、本線には何ら影響を与えることなく、フォーマット変換における各種の処理結果を簡易に確認することができるフォーマット変換装置を提案しようとするものである。
【課題を解決するための手段】
【０００６】
かかる課題を解決するため請求項１の発明は、フォーマット変換装置において、入力ビデオ信号を入力する入力回路と、前記入力ビデオ信号をフォーマット変換して出力ビデオ信号を出力する変換回路と、前記出力ビデオ信号を出力する出力回路と、前記入力ビデオ信号、前記出力ビデオ信号を選択してモニタ用のビデオ信号を出力するモニタ出力回路とを備えるようにする。
【０００７】
また請求項２の発明は、請求項１の構成において、前記モニタ出力回路は、所定の信号処理回路を介して前記入力ビデオ信号を入力し、前記信号処理回路が、前記入力ビデオ信号のアスペクト比を示す画像によるマーカー信号を生成するマーカー信号生成回路と、前記マーカー信号と前記入力ビデオ信号とを合成して前記モニタ出力回路に出力する合成回路とであるようにする。
【０００８】
また請求項３の発明は、請求項１の構成において、前記モニタ出力回路は、所定の信号処理回路を介して前記入力ビデオ信号を入力し、前記信号処理回路が、前記入力ビデオ信号に重畳された音声信号の信号レベルを検出して信号レベル検出結果を出力する信号レベル検出回路と、前記信号レベル検出結果に基づいて、前記音声信号の信号レベルを示す画像による音声画像信号を作成する音声画像生成回路と、前記音声画像信号と前記入力ビデオ信号を合成して前記モニタ出力回路に出力する合成回路とであるようにする。
【０００９】
また請求項４の発明は、請求項１の構成において、前記変換回路は、前記入力ビデオ信号による画像の一部を削除するトリミング回路を介して前記入力ビデオ信号を入力し、前記モニタ出力回路は、所定の信号処理回路を介して前記入力ビデオ信号を入力し、前記信号処理回路は、前記トリミング回路により削除する領域を示すトリミング信号を生成するトリミング信号発生回路と、前記トリミング信号と前記入力ビデオ信号を合成して前記モニタ出力回路に出力する合成回路とであるようにする。
【００１０】
また請求項５の発明は、請求項１の構成において、前記モニタ出力回路は、所定の信号処理回路を介して前記入力ビデオ信号を入力し、前記信号処理回路は、前記入力ビデオ信号のタイムコードを検出するタイムコードデコーダと、前記タイムコードを前記入力ビデオ信号に合成して前記モニタ出力回路に出力する合成回路とであるようにする。
【００１１】
また請求項６の発明は、請求項１の構成において、前記変換回路は、ズームの処理により、前記入力ビデオ信号の所定領域を拡大して前記出力ビデオ信号を生成し、前記モニタ出力回路は、所定の信号処理回路を介して前記出力ビデオ信号を入力し、前記信号処理回路は、前記ズームの処理による前記所定領域を示すトリミング信号を生成するトリミング信号発生回路と、前記ズームの処理を実行していない場合に、前記トリミング信号と前記出力ビデオ信号を合成して前記モニタ出力回路に出力する合成回路とであるようにする。
【００１２】
請求項１の構成により、フォーマット変換装置において、入力ビデオ信号を入力する入力回路と、前記入力ビデオ信号をフォーマット変換して出力ビデオ信号を出力する変換回路と、前記出力ビデオ信号を出力する出力回路と、前記入力ビデオ信号、前記出力ビデオ信号を選択してモニタ用のビデオ信号を出力するモニタ出力回路とを備えるようにすれば、本線である出力回路による出力ビデオ信号には何ら影響を及ぼすことなく、フォーマット変換における各種の処理結果を簡易に確認することができる。
【００１３】
また請求項２の構成により、請求項１の構成において、前記モニタ出力回路は、所定の信号処理回路を介して前記入力ビデオ信号を入力し、前記信号処理回路が、前記入力ビデオ信号のアスペクト比を示す画像によるマーカー信号を生成するマーカー信号生成回路と、前記マーカー信号と前記入力ビデオ信号とを合成して前記モニタ出力回路に出力する合成回路とであるようにすれば、本線には何ら影響を与えることなく、フォーマット変換におけるアスペクト比を入力されたビデオ信号との対比により簡易に確認することができ、また垂直方向及び水平方向の各位相のずれを確認することができる。
【００１４】
また請求項３の構成により、請求項１の構成において、前記モニタ出力回路は、所定の信号処理回路を介して前記入力ビデオ信号を入力し、前記信号処理回路が、前記入力ビデオ信号に重畳された音声信号の信号レベルを検出して信号レベル検出結果を出力する信号レベル検出回路と、前記信号レベル検出結果に基づいて、画面上で、前記音声信号の信号レベルを示す画像による音声画像信号を作成する音声画像生成回路と、前記音声画像信号と前記入力ビデオ信号を合成して前記モニタ出力回路に出力する合成回路とであるようにすれば、本線には何ら影響を与えることなく、処理対象における音声信号レベルを簡易に確認することができる。
【００１５】
また請求項４の構成により、請求項１の構成において、前記変換回路は、前記入力ビデオ信号による画像の一部を削除するトリミング回路を介して前記入力ビデオ信号を入力し、前記モニタ出力回路は、所定の信号処理回路を介して前記入力ビデオ信号を入力し、前記信号処理回路は、前記トリミング回路により削除する領域を示すトリミング信号を生成するトリミング信号発生回路と、前記トリミング信号と前記入力ビデオ信号を合成して前記モニタ出力回路に出力する合成回路とであるようにすれば、本線には何ら影響を与えないようにして、アスペクト比の変換により切り出す領域を簡易に確認して、この領域を適切に設定することができる。
【００１６】
また請求項５の構成により、請求項１の構成において、前記モニタ出力回路は、所定の信号処理回路を介して前記入力ビデオ信号を入力し、前記信号処理回路は、前記入力ビデオ信号のタイムコードを検出するタイムコードデコーダと、前記タイムコードを前記入力ビデオ信号に合成して前記モニタ出力回路に出力する合成回路とであるようにすれば、本線には何ら影響を与えないようにして、入力ビデオ信号のタイムコードを簡易に確認設定することができる。
【００１７】
また請求項６の構成により、請求項１の構成において、前記変換回路は、ズームの処理により、前記入力ビデオ信号の所定領域を拡大して前記出力ビデオ信号を生成し、前記モニタ出力回路は、所定の信号処理回路を介して前記出力ビデオ信号を入力し、前記信号処理回路は、前記ズームの処理による前記所定領域を示すトリミング信号を生成するトリミング信号発生回路と、前記ズームの処理を実行していない場合に、前記トリミング信号と前記出力ビデオ信号を合成して前記モニタ出力回路に出力する合成回路とであるようにすれば、本線には何ら影響を与えないようにして、ズームの処理を簡易に確認設定することができる。
【発明の効果】
【００１８】
本発明によれば、本線には何ら影響を与えることなく、フォーマット変換における各種の処理結果を簡易に確認することができる。
【発明を実施するための最良の形態】
【００１９】
以下、適宜図面を参照しながら本発明の実施例を詳述する。
【実施例１】
【００２０】
図１は、本発明の実施例１に係るフォーマット変換装置を示すブロック図である。このフォーマット変換装置１において、入力インターフェース（入力ＩＦ）２は、シリアルディジタルインターフェース（ＳＤＩ：Serial Digital Interface）による入力回路であり、ＳＤＴＶフォーマットのディジタルビデオ信号Ｓ１を入力する。続く変換回路３は、このディジタルビデオ信号のフォーマットをＨＤＴＶフォーマットに変換してディジタルビデオ信号Ｓ２を出力する。出力インターフェース（出力ＩＦ）４は、シリアルディジタルインターフェースによる出力回路であり、このＨＤＴＶフォーマットによるディジタルビデオ信号Ｓ２を外部機器に出力する。これによりこのフォーマット変換装置１は、ＳＤＴＶフォーマットによるディジタルビデオ信号Ｓ１をＨＤＴＶフォーマットによるディジタルビデオ信号Ｓ２にフォーマット変換して出力する。
【００２１】
切替回路５は、変換回路３の入出力信号によるディジタルビデオ信号Ｓ１及びＳ２を入力し、オペレータの操作により得られる制御信号Ｓ３により、これらディジタルビデオ信号Ｓ１及びＳ２を選択してモニタ用のディジタルビデオ信号Ｓ４を出力する。
【００２２】
以上の構成において、このフォーマット変換装置１に入力されるＳＤＴＶフォーマットのディジタルビデオ信号Ｓ１は、変換回路３によりＨＤＴＶフォーマットによるディジタルビデオ信号Ｓ２に変換されて本線により出力される。フォーマット変換装置１では、この変換回路３の入出力に係るＳＤＴＶフォーマットのディジタルビデオ信号Ｓ１と、ＨＤＴＶフォーマットによるディジタルビデオ信号Ｓ２とが、切替回路５により選択されてモニタ用に出力される。これによりこのフォーマット変換装置１では、本線によるディジタルビデオ信号Ｓ２とは別に、モニタ用のディジタルビデオ信号Ｓ４を得ることができ、このモニタ用のディジタルビデオ信号Ｓ４により本線系には何ら影響を及ぼすことなく、フォーマット変換による処理結果を簡易に確認することができる。また必要に応じて切替回路５によりモニタ用のビデオ信号を切り換えることにより、フォーマット変換前のディジタルビデオ信号Ｓ１との比較によりフォーマット変換による処理結果を簡易に確認することができる。
【００２３】
以上の構成によれば、フォーマット変換における処理結果と処理対象とを選択してモニタ用のビデオ信号を別途出力することにより、本線には何ら影響を与えることなく、フォーマット変換における各種の処理結果を簡易に確認することができる。
【実施例２】
【００２４】
図２は、本発明の実施例２に係るフォーマット変換装置を示すブロック図である。このフォーマット変換装置１１において、図１について上述したフォーマット変換装置１と同一の構成は、対応する符号を付して示し、重複した説明は省略する。
【００２５】
このフォーマット変換装置１１において、信号発生回路１２は、入力インターフェース２を介して入力されるディジタルビデオ信号Ｓ１の同期信号を基準にしたタイミング信号の生成により、このディジタルビデオ信号Ｓ１のアクペクト比を示すマーカー信号Ｓ５を生成して出力する。ここでこの実施例において、マーカー信号Ｓ５は、図３に示すように、このディジタルビデオ信号Ｓ１に同期して、このディジタルビデオ信号Ｓ１の有効表示領域内で、枠形状により信号レベルが立ち上がるように形成され、この枠形状による縦横比がディジタルビデオ信号Ｓ１のアクペクト比に対応するように生成される。
【００２６】
合成回路１３は、このマーカー信号Ｓ５をディジタルビデオ信号Ｓ１と合成して出力し、切替回路５は、制御信号Ｓ３により、この合成回路１３から出力されるディジタルビデオ信号と変換回路３から出力されるディジタルビデオ信号Ｓ２とを選択して出力する。
【００２７】
この実施例においては、フォーマット変換における処理結果と処理対象とを選択してモニタ用のビデオ信号を別途出力するようにして、処理対象のアスペクト比を示す画像によるマーカー信号Ｓ５をこの処理対象のディジタルビデオ信号Ｓ２と合成することにより、本線には何ら影響を与えることなく、フォーマット変換における各種の処理結果を簡易に確認することができるようにして、処理結果におけるアスペクト比を入力されたディジタルビデオ信号との対比により簡易に確認することができる。また処理結果における垂直方向及び水平方向の各位相のずれを確認することができる。
【実施例３】
【００２８】
図４は、本発明の実施例３に係るフォーマット変換装置を示すブロック図である。このフォーマット変換装置２１において、図２について上述したフォーマット変換装置１１と同一の構成は、対応する符号を付して示し、重複した説明は省略する。
【００２９】
このフォーマット変換装置２１において、音声信号デコーダ回路２２は、ディジタルビデオ信号に多重されたエンベデッド音声信号をデコードして右チャンネル及び左チャンネルのディジタル音声信号を出力する。音声レベル検出回路２３は、この音声信号デコーダ回路２２から出力される右チャンネル及び左チャンネルのディジタル音声信号を入力し、このディジタル音声信号の信号レベルをそれぞれ検出する。音声画像生成回路２４は、この音声レベル検出回路２３による信号レベル検出結果に基づいて、このディジタルビデオ信号Ｓ１の左チャンネル及び右チャンネルの音声信号レベルを示す画像によるディジタルビデオ信号Ｓ６を生成する。ここでこの実施例では、図５に示すように、ディジタルビデオ信号Ｓ１に同期して、ディジタルビデオ信号Ｓ１による表示画面の下側、左右に、それぞれ左チャンネル及び右チャンネルの音声信号レベルを示す棒グラフ状の表示を形成するように、ディジタルビデオ信号Ｓ６を生成する。合成回路１３は、この音声レベルを示すディジタルビデオ信号Ｓ６を入力されたディジタルビデオ信号Ｓ１と合成して出力し、切替回路５は、この合成回路１３により合成されたディジタルビデオ信号、フォーマット変換処理によるディジタルビデオ信号Ｓ２を制御信号Ｓ３により選択して出力する。
【００３０】
この実施例においては、フォーマット変換における処理結果と処理対象とを選択してモニタ用のビデオ信号を別途出力するようにして、処理対象の音声信号レベルを示す画像によるディジタルビデオ信号を生成してこの処理対象のディジタルビデオ信号Ｓ１と合成することにより、本線には何ら影響を与えることなく、フォーマット変換における各種の処理結果を簡易に確認することができるようにして、処理対象における音声信号レベルを簡易に確認することができる。
【実施例４】
【００３１】
図６は、本発明の実施例４に係るフォーマット変換装置を示すブロック図である。このフォーマット変換装置３１において、図２について上述したフォーマット変換装置１１と同一の構成は、対応する符号を付して示し、重複した説明は省略する。
【００３２】
このフォーマット変換装置３１において、信号発生回路３２は、図７（Ａ）及び（Ｂ）に示すように、ディジタルビデオ信号Ｓ１に同期して、４：３のアスペクト比によるディジタルビデオ信号Ｓ１による画像を上下で切り取ってアスペクト比を１６：９とするトリミング信号Ｓ７を生成する。このため信号発生回路３２は、この切り取る上下ラインで信号レベルが立ち上がるように、ディジタルビデオ信号Ｓ１を基準にしてトリミング信号Ｓ７を生成する。またこの信号レベルを立ち上げる上下のラインを、オペレータの指示による制御信号Ｓ８により可変する。
【００３３】
画枠設定回路３３は、このトリミング信号Ｓ７を基準にしてディジタルビデオ信号Ｓ１の上下ラインを削除して変換回路３に出力し、これによりこのフォーマット変換装置３１では、オペレータにより指示に応じた箇所をディジタルビデオ信号Ｓ１から切り出して１６：９のアスペクト比によるＨＤＴＶのディジタルビデオ信号Ｓ２を出力する。
【００３４】
合成回路１３は、このトリミング信号Ｓ７とディジタルビデオ信号Ｓ１とを合成して出力し、切替回路５は、この合成回路１３により合成されたディジタルビデオ信号、フォーマット変換処理によるディジタルビデオ信号Ｓ２を制御信号Ｓ３により選択して出力する。
【００３５】
この実施例においては、フォーマット変換における処理結果と処理対象とを選択してモニタ用のビデオ信号を別途出力するようにして、アスペクト比の変換により切り取る領域を示すトリミング信号を処理対象のディジタルビデオ信号と合成することにより、本線には何ら影響を与えることなく、フォーマット変換における各種の処理結果を簡易に確認することができるようにして、アスペクト比の変換により切り出す領域を簡易に確認して、この領域を適切に設定することができる。
【実施例５】
【００３６】
図８は、本発明の実施例５に係るフォーマット変換装置を示すブロック図である。このフォーマット変換装置４１において、図２について上述したフォーマット変換装置１１と同一の構成は、対応する符号を付して示し、重複した説明は省略する。
【００３７】
このフォーマット変換装置４１において、タイムコードデコーダ４２は、入力インターフェース２から入力されるディジタルビデオ信号Ｓ１に重畳されたタイムコード信号を取得し、このタイムコード信号をデコードしてタイムコードを生成する。合成回路１３は、このタイムコードによる画像のディジタルビデオ信号とディジタルビデオ信号Ｓ１とを合成して出力し、切替回路５は、この合成回路１３により合成されたディジタルビデオ信号、フォーマット変換処理によるディジタルビデオ信号Ｓ２を制御信号Ｓ３により選択して出力する。
【００３８】
この実施例においては、フォーマット変換における処理結果と処理対象とを選択してモニタ用のビデオ信号を別途出力するようにして、タイムコードを検出してディジタルビデオ信号と合成することにより、本線には何ら影響を与えることなく、フォーマット変換における各種の処理結果を簡易に確認することができるようにして、ディジタルビデオ信号のタイムコードを簡易に確認設定することができる。
【実施例６】
【００３９】
図９は、本発明の実施例６に係るフォーマット変換装置を示すブロック図である。このフォーマット変換装置５１において、図２について上述したフォーマット変換装置１１と同一の構成は、対応する符号を付して示し、重複した説明は省略する。
【００４０】
このフォーマット変換装置５１において、信号発生回路５２は、図１０（Ａ）に示すように、オペレータの操作による制御信号Ｓ８に応動して、ディジタルビデオ信号Ｓ１に同期してズームの処理により切り出す領域を囲む枠形状により信号レベルが立ち上がるマーカー信号Ｓ７を生成する。
【００４１】
マーカー変換回路５３は、ディジタルビデオ信号Ｓ７に同期したタイミングによるマーカー信号Ｓ７を、このフォーマット変換装置５１より出力するディジタルビデオ信号Ｓ２に同期したタイミングによるマーカー信号に変換して出力する。
【００４２】
合成回路１３は、ズームの処理を開始する前のオペレータの指示により、このマーカー変換回路５３から出力されるマーカー信号と、ディジタルビデオ信号Ｓ２とを合成して出力し、ズームの処理を開始すると、この合成の処理を中止してディジタルビデオ信号Ｓ２のみを選択出力する。
【００４３】
切替回路５は、この合成回路１３により合成されたディジタルビデオ信号、入力インターフェース２より入力されるディジタルビデオ信号Ｓ１を制御信号Ｓ３により選択して出力する。
【００４４】
これによりこのフォーマット変換装置５１では、ズームの処理を開始する前の段階で、ズームの処理により拡大して出力する領域を、フォーマット変換処理後のディジタルビデオ信号Ｓ２により確認することができるように構成される。
【００４５】
画枠設定回路５５は、マーカー信号Ｓ７の枠により囲まれた領域を、ディジタルビデオ信号Ｓ２のアスペクト比により切り出して出力する。しかして図１０（Ｂ）において、ズーム処理後の画額がこのアスペクト比により切り出す領域である。ズーム処理回路５６は、マーカー変換回路５３により出力されるマーカー信号を基準にして、変換回路３におけるライン数の変換処理、画素数の変換処理に係る制御信号を出力し、変換回路３は、このズーム処理回路５６からの制御によりライン変換処理回路５７、画素数変換処理回路５８でそれぞれ画枠設定回路５５から出力されるディジタルビデオ信号のライン数、画素数を変換処理し、これにより図１０（Ｃ）に示すようにズーム処理によるディジタルビデオ信号Ｓ２を生成する。
【００４６】
しかしてこのフォーマット変換装置５１では、図示しないコントローラによる制御により、ディジタルビデオ信号Ｓ１をフォーマット変換処理してディジタルビデオ信号Ｓ２を出力している状態で、オペレータによる設定により、ズーム処理に係る枠を設定し、合成回路１３による画像合成によりディジタルビデオ信号Ｓ２でこの枠を確認する。またその後、オペレータの指示によりズームの処理を実行し、このズームの処理を開始すると、合成回路１３における画像合成を中止する。
【００４７】
この実施例においては、フォーマット変換における処理結果と処理対象とを選択してモニタ用のビデオ信号を別途出力するようにして、ズームの処理に係る領域を示すマーカー信号とフォーマット変換処理によるディジタルビデオ信号と合成することにより、本線には何ら影響を与えることなく、フォーマット変換における各種の処理結果を簡易に確認することができるようにして、電子ズームの処理を簡易に確認設定することができる。
【実施例７】
【００４８】
なお上述の実施例においては、本発明をタイムコード等の表示に適用する場合について述べたが、本発明はこれに限らず、フォーマット変換における種々の処理の表示に広く適用することができる。
【００４９】
また上述の実施例においては、ＳＤＴＶによるディジタルビデオ信号をＨＤＴＶによるディジタルビデオ信号にフォーマット変換する場合について述べたが、本発明はこれに限らず、種々のフォーマットによるディジタルビデオ信号をフォーマット変換する場合に広く適用することができる。
【産業上の利用可能性】
【００５０】
本発明は、フォーマット変換装置に関し、例えばＨＤＴＶ、ＳＤＴＶ間のアップコンバータ、ダウンコンバータ、マルチフォーマットコンバータ等に適用することができる。
【図面の簡単な説明】
【００５１】
【図１】本発明の実施例１に係るフォーマット変換装置を示すブロック図である。
【図２】本発明の実施例２に係るフォーマット変換装置を示すブロック図である。
【図３】図２のフォーマット変換装置の動作の説明に供する平面図である。
【図４】本発明の実施例３に係るフォーマット変換装置を示すブロック図である。
【図５】図４のフォーマット変換装置の動作の説明に供する平面図である。
【図６】本発明の実施例４に係るフォーマット変換装置を示すブロック図である。
【図７】図６のフォーマット変換装置の動作の説明に供する平面図である。
【図８】本発明の実施例５に係るフォーマット変換装置を示すブロック図である。
【図９】本発明の実施例６に係るフォーマット変換装置を示すブロック図である。
【図１０】図９のフォーマット変換装置の動作の説明に供する平面図である。
【符号の説明】
【００５２】
１、１１、２１、３１、４１、５１……フォーマット変換装置、２……入力インターフェース、３……変換回路３……出力インターフェース、５……切替回路、１２、３４、５２……信号発生回路、１３……合成回路、２２……音声信号デコーダ、２３……音声レベル検出回路、２４……音声画像生成回路、４２……タイムコードデコーダ
【図１】
2006339930.tif 000003
【図２】
2006339930.tif 000004
【図３】
2006339930.tif 000005
【図４】
2006339930.tif 000006
【図５】
2006339930.tif 000007
【図６】
2006339930.tif 000008
【図７】
2006339930.tif 000009
【図８】
2006339930.tif 000010
【図９】
2006339930.tif 000011
【図１０】
2006339930.tif 000012